(57)【要約】【課題】  比較的厚い紙でトング状の虫挟みを構成し、この虫挟みの先端部に粘着部材を設けて虫を確実に捕捉し、衛生的な使い捨ての虫取り具を提供すること。【解決手段】  短冊状の厚紙を折り曲げてトング状の虫挟みを形成し、この虫挟み先端部の内側に粘着部材を具備させたもの。【選択図】      図１
0003111123.tif 000002
【実用新案登録請求の範囲】
【請求項１】
短冊状の厚紙を折り曲げてトング状の虫挟みを形成し、この虫挟み先端部の内側に粘着部材を具備させてなる虫取り具。
【請求項２】
両端にＴ形部を形成した短冊状の厚紙を折り曲げてトング状の虫挟みを形成し、この虫挟み先端Ｔ形部の内側に粘着部材を具備させてなる虫取り具。
【請求項３】
紙管の先端に一体あるいは別体の虫捕捉板を形設し、この虫捕捉板の底面に粘着部材を具備させてなる虫取り具。
【請求項４】
前記請求項１乃至３記載の虫取り具を収納する容器にゴムバンドを設け、このゴムバンドの自然状態の長さを市販の殺虫スプレイ缶の周囲長よりも長くしてある虫取り具用収納具。
【考案の詳細な説明】
【技術分野】
【０００１】
本考案は、殺虫剤や蝿叩き等で退治されたゴキブリや蝿等の死骸を挟みあるいは接着して捕捉し、ゴミ箱等に捨てることができる簡便で使い捨て可能な虫取り具あるいはその収納具に関する。
【背景技術】
【０００２】
従来は、殺虫剤や蝿叩き等で退治されたゴキブリの死骸はテッシュペーパー等で摘んで捨てていた。
【考案の開示】
【考案が解決しようとする課題】
【０００３】
従来は前述のように、蝿叩きや殺虫スプレイ等で退治したゴキブリ等の死骸はテッシュペーパー等の紙で摘んで捨てていたが、虫を退治した時の内臓や汁が紙に滲んで不衛生で、また、掴んだ時の感触が直接的に指先に伝わり不快であり、更に、過敏症の人においては嘔吐感さえ覚える程である。
【０００４】
本考案はこれらの課題に着目し、紙で摘んで捨てていた方法に変えて比較的厚い紙でトング状の虫挟みを構成し、この虫挟みの先端部に粘着部材を設けて虫を確実かつ衛生的に捕捉でき、かつ使い捨ての虫取り具を提供すること、また、紙管の先端部に設けた捕捉板に粘着部材を設け、この粘着部材に虫を粘着させることによって虫を捕捉し捨てることが出来る虫取り具を提供することを目的とする。
あるいは、これらの虫取り具を殺虫スプレイ缶に取り付けて使用する虫取り具用収納具を提供することを目的とするものである。
【課題を解決するための手段】
【０００５】
前記目的は、短冊状の厚紙を折り曲げてトング状の虫挟みを形成し、この虫挟み先端部の内側に粘着部材を具備させること、また、紙管の先端に一体あるいは別体の虫捕捉板を形設し、この虫捕捉板の底面に粘着部材を具備させること、あるいは、虫取り具を収納する容器にゴムバンドを設け、このゴムバンドの自然状態の長さを殺虫スプレイ缶の周囲長よりも長くすることによって達成される。
【考案の効果】
【０００６】
本考案によればゴキブリやその他の虫の死骸を衛生的、かつ、確実に捨てることができ、使い捨て可能な虫取り具を提供することができるものである。
また、殺虫スプレイ缶にゴムバンドで収納具が取り付けられているので、虫取り具の保管を容易にし、使いたいときに直ちに使用できるという効果がある。
【実施例１】
【０００７】
図１は本考案の一実施例構成を示すトング形状の虫取り具である。
図において、１は比較的厚手の紙から構成されたトング状虫挟みである。
このトング状虫挟み１は図２に示すように短冊状に切断された短冊状厚紙２から成り、その両端部にはＴ形部３が形成されている。
【０００８】
このＴ形部３には両面粘着テープ等からなる粘着部材４が設けられている。
そして、この短冊状厚紙２の中央部５を点線で示すように谷折りしてトング状虫挟み１とし、図１の虫取り具を構成するものである。このとき粘着テープ３が夫々内側に対向するように折り曲げるようにする。
厚紙の折り曲げ部はそれ自身が弾性を有しているのでトング状虫挟み１は開閉自在となる。
【０００９】
図３は図１の虫取り具の使用例を示している。
図において６はゴキブリ等の死骸を示している。
本考案のトング状虫挟み１の先端部内側には夫々粘着テープ４が設けられているので、トング状虫挟み１の挟持力と粘着テープ４の粘着力の両者によって虫は確実に捕捉保持され、虫取り具と共にゴミ箱等に捨てることができる。また、捕捉保持力が大きいことから捨てる過程で虫を落とすこともない。
また、本考案ではトング状虫挟み１の先端をＴ形部３として短冊の幅よりも長くし、これによって粘着部の面積を大きくし、更に捕捉保持力を増大するように工夫している。
【００１０】
図４および図５は紙管１１の下端に虫捕捉板１２を設けた第２の実施例を示している。
この虫捕捉板１２の形状は円形であるが、これに限らず正方形や長方形、あるいは楕円形でも良い。
また、この虫捕捉板１２は前記紙管１１と一体的に構成し、あるいは別体で構成して接着により一体化する構成いずれも実施できるものである。
更に、前記虫捕捉板１２の下面には図５のように粘着部材１３を設けている。粘着部材１３は前述のように簡単に仕入れでき、あるいは簡単に接着できることから両面粘着テープを用いることとした。
ただし、鳥もちやその他の接着あるいは粘着部材も用いることができることは当然である。
【００１１】
図６は前記第２の実施例の虫取り具の使用例を示している。
図示で明らかなようにゴキブリ等の虫１４上に虫捕捉板１２に設けた粘着部材１３を押し当てて虫を粘着部材１３に粘着捕捉し、ごみ箱等に虫取り具と共に捨てるようにする。
このようにすれば指に虫の汁が付着せず、更に、使い捨てできることから非常に衛生的に死骸の処理が可能となる。
【００１２】
図７は前記虫取り具を収納保管する虫取り用収納具を示している。
虫取り用収納具は、虫取り具を収納する容器２１とこの容器２１の上部に設けられたゴムバンドから構成されている。
容器１は紙材で有底の楕円筒状に形成されており、ゴムバンド２２は図８に示す市販の殺虫スプレイ缶２３の外周長よりも短い寸法としている。
従って、この図７に示した虫取り用収納具は図８のように簡単に殺虫スプレイ缶２３に取り付けることができる。
殺虫スプレイ缶２３に取り付けられた虫取り用収納具の容器２１には図１に示したトング状虫取り具１を収納保管できるので、殺虫スプレイで退治した虫をその缶２３に付属させた虫取り具で捕捉し捨てることができ、迅速に処理できるようになる。
【図面の簡単な説明】
【００１３】
【図１】本考案の第１の実施例である紙製のトング状虫取り具を示す斜視図。
【図２】同じくトング状虫取り具の展開図。
【図３】トング状虫取り具で虫を挟んでいる状態を示す使用状態説明図。
【図４】本考案の第２の実施例である紙製の虫取り具を示す斜視図。
【図５】同上の断面図。
【図６】同上の虫取り具の使用状態説明図。
【図７】虫取り具用収納具を示す斜視図。
【図８】同じく虫取り具用収納具を殺虫スプレイ缶に取り付けた使用状態説明図。
【符号の説明】
【００１４】
１  トング状虫挟み、２  短冊状厚紙、３  Ｔ形部、４、１３  粘着部材、５  谷折り部、６、１４  虫、１１  紙管、１２  虫捕捉板、１３  粘着部材、２１  虫取り具の収納容器、２２  ゴムバンド、２３  殺虫スプレイ缶。
【図１】
0003111123.tif 000003
【図２】
0003111123.tif 000004
【図３】
0003111123.tif 000005
【図４】
0003111123.tif 000006
【図５】
0003111123.tif 000007
【図６】
0003111123.tif 000008
【図７】
0003111123.tif 000009
【図８】
0003111123.tif 000010